(57)【要約】【課題】鉛蓄電池の排気室内に多量の電解液が漏れ出ても、全て吸液し、外部へは漏れでない鉛蓄電池を提供する。【解決手段】所定の大きさより大きく打ち抜いた吸液材を所定の大きさに折り曲げ、これを鉛蓄電池の排気弁が形成されると共に覆蓋で覆われる排気室内に配置することで、鉛蓄電池の使用中に排気弁を介して漏れ出る電解液が多くなってもその全てを吸液して、外部へは漏出しないように出来る。【選択図】図１
2015225788.tif 000002
【特許請求の範囲】
【請求項１】
排気弁が形成されと共に覆蓋で覆われる排気室内に折り曲げられた１枚の吸液材を配置したことを特徴とする鉛蓄電池。
【請求項２】
排気室内底面から排気室内側面に沿って折り曲げた１枚の吸液材を配置したことを特徴とする請求項１記載の鉛蓄電池。
【発明の詳細な説明】
【技術分野】
【０００１】
本発明は、排気弁が形成された排気室を有する鉛蓄電池に関するものである。
【背景技術】
【０００２】
電槽内に正負極板とセパレータからなる極板群を収納し、該極板群に含浸する程度の電解液を注液し、蓋に排気室を設けこの排気室内に排気弁を形成し、電槽を蓋で覆い、更に排気室を覆蓋で覆ってなる鉛蓄電池は知られている。
【０００３】
この様な鉛蓄電池は、過充電等で電槽内圧が上昇した場合には、排気弁が作動して内圧を外部に発散させることで、過剰な内圧の上昇を防止しているが、排気弁の作動時に同時に電解液が漏れ出、外部へ漏れ出る場合がある。
【０００４】
これらの課題を解決する方法として、排気弁を冠している排気口周囲に吸液材を配置することが知られている（特許文献１）。更に、この特許文献１には吸水量をより多くする為に吸液性樹脂を成型したことも記載されている。
【先行技術文献】
【特許文献】
【０００５】
【特許文献１】特開平２−１７０３４５号公報
【発明の概要】
【発明が解決しようとする課題】
【０００６】
鉛蓄電池は多種多様なものが存在し、大きさ形状等異なる物が多数存在する。この多様化に伴い、排気弁が形成されている排気室形状も多種多様であり、その都度成型により専用の吸液材を準備することは煩わしいと共に経済的に不利であり、打ち抜き加工により吸液材を得ている場合が多数存在する。この場合の打ち抜きは、大きな平板状の吸液材から所望の形状を得ているものであるが、吸液量を多くする場合は排気室の床面積と同じ大きさにすることと吸液材の厚みを厚くすることなどが考えられる。床面積と同じ大きさにすることが容易であるが、それでも更に吸液量を多くしたい場合は厚みを厚くすることである。しかし、これも使用される鉛蓄電池専用の厚い吸液材を製作しなければならず煩わしいと共に経済的に不利である。これを解消する手段としては、同じ厚みの吸液材を何枚も積み重ねることが考えられるが、排気室への吸液材を施す作業が一度では済まず煩わしいものと成る。
【課題を解決するための手段】
【０００７】
本発明は、これらの課題を解決したもので、吸液材を折り曲げて排気室内に配置したものである。
【０００８】
この様に、吸液材を折り曲げたので、多量の吸液材を排気室内に配置することが簡単に出来、吸液量を増やすことが出来ると共に、吸液材を何枚も積み重ねる場合の様な煩わしさもない。更に、吸液材を排気室底面から側面に沿って折り曲げて配置した場合は、該排気室上面に覆蓋を施す作業が良好である。
【発明の効果】
【０００９】
本発明によれば、多量の吸液材を排気室内へ配置することが容易であると共に、該吸液材を排気室の底面から側面に沿って折り曲げて配置した場合は覆蓋を施す作業が良好になると言う効果を奏するものである。
【図面の簡単な説明】
【００１０】
【図１】本発明実施形態を説明するための要部分解斜視図である。
【図２】吸液材の他の折り曲げ方法を説明する斜視図である。
【発明を実施するための形態】
【００１１】
図に基づき、本発明の実施形態を説明する。
【００１２】
図１は、本発明の一実施形態を説明するための要部分解斜視図である。図面において、１は鉛蓄電池、２は電槽、３は蓋、４は覆蓋、５は鉛蓄電池１の正負極の端子である。電槽は上面が開口する箱形に形成されその内部が隔壁により複数のセル室に区画形成され、各セル室には正負極板がセパレータを介して複数枚交互に積層された極板群が収納され、各セル室内の極板群は直列に接続され、電槽２の外に突出して形成された各正負極の端子５に接続されている。蓋３は該電槽２の上面に施され開口する電槽２の上面を塞ぐと共に各セル室間を気液密にしている。該蓋３にはその上面に窪んだ排気室３１が形成されている。この排気室３１は電槽２のセル室に対応して個々に設けても良いし、共通する１個の大きな排気室にすることも出来る。図示のものは２つのセル室に共通した排気室３１を形成した例を示している。この排気室３１には各セル室と連通する為に排気室３１の底面を貫通する中空の排気筒が２つ形成され、各々排気筒の上部には、排気筒の上面開口部を覆うキャップ状のゴムが施されて排気弁３２を形成している。この排気弁３２はセル室内の圧力が上昇した場合にゴムが開き排気室から外部へ圧力を放出してセル室内の圧力が過剰に高く成らない様にするものである。なお、鉛蓄電池の製造にあっては、通常、排気筒にキャップ状のゴムを施す前にこの排気筒を利用して電槽の各セル室内に希硫酸からなる電解液を各セル室に注液する。その量は収納された極板群に含浸する程の量、或いはそれよりは少し多めとなるような量である。
【００１３】
そして、該排気弁３２が形成された排気室３１に、排気弁３２を避ける様に吸液材６が配置されるが、本発明では、この吸液材６を折り曲げて配置するもので、図１に示すものは、側部方向に所定の大きさの２倍の大きさに打ち抜かれた平板状の吸液材６を点線示の部分で左右に折り重ねる様に折り曲げたものである。なお、吸液材６の両端縁に形成した半円状の切り欠き６１は、吸液材６を排気室３１に配置した際に排気弁３２がこの切り欠き６１内を貫通して吸液材６が排気弁３２に干渉することなく避けて排気室３１の底面に配置できる様にする為のものである。
【００１４】
この様に、本発明では、吸液材６を折り曲げると言う構成により簡単に吸液材６の量を増やして排気室３１内に漏れ出た電解液を大量に吸液可能とすることが出来、電解液が該排気室３１内から鉛蓄電池の外へ漏れ出無い様にすることが出来る。
【００１５】
排気室３１内に吸液材６を配置した後、排気室３１を覆う平板状の覆蓋４を蓋３の上面に被せて覆うものである。この際、覆蓋４は排気弁３２に触れないように覆われると共に、蓋３と覆蓋４間には隙間が形成されて圧力が外部へ放出される様にしている。図中３３は蓋の上面に形成された突条で、この上に覆蓋４が超音波融着などにより施される。
【００１６】
排気室３１に収納される吸液材６は、例えば合成パルプと無機（例えばガラス）粉体からなる紙状のもので、打ち抜きにより簡単に所望の形状のものを得ることが出来ると共に、簡単に折り曲げることができるものである。
【００１７】
吸液材６としては、上記に限らず、図２に示すとおり、種種の形態をとることができる。図２（ａ）は、吸液材６を所定の大きさより少し幅を広げた大きさに打ち抜き、その幅の側部を点線示の所で９０°折り曲げたものである。この様に形成した吸液材６を図１に示す鉛蓄電池の排気室３１に配置する場合は、その底面を排気室３１の底面に置くと共に、９０°折り曲げた側部を排気室３１の側面壁に当接して配置される。図２（ｂ）は、吸液材６を図１の場合とは異なりその端部方向に２倍の大きさに形成し、これを点線示の所で折り曲げて重ねたものである。図２（ｃ）は、吸液材の両端部に形成した切り欠き６１間の中央の長さを所定の長さより長くし、この中央の点線示の部分を谷折りし、一点鎖線示の部分を山折りして折り曲げて中央に山形を形成したものである。
【００１８】
いずれの場合も、排気室に収納する吸液材の量が増え、より多量の排気室内に漏れ出た電解液を吸液することができる。
【００１９】
特に、図２（ａ）に示した側部を９０°折り曲げて排気室の底面から側壁面に渡って配置される吸液材の場合は、排気室内に配置された吸液材が浮き上がることがないので、排気室上面を覆う覆蓋の取り付け作業が容易となり好ましい。
【符号の説明】
【００２０】
１    鉛蓄電池
２    電槽
３    蓋
３１  排気室
３２  排気弁
４    覆蓋
５    端子
６    吸液材
【図１】
2015225788.tif 000003
【図２】
2015225788.tif 000004